【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
（ｉ）ドライバーからのＤＣ電力を受ける第１及び第２の光パネル電力接続と、第１及び第２の光パネル電力接続間に作動結合されて、ドライバーにより供給される電流を用いて一般照明を提供する１以上の有機発光ダイオード（ＯＬＥＤ）とを含む光パネルと、
光パネルに作動結合されて、１以上のＯＬＥＤが一般照明を提供する間にユーザーによる（ｉｉ）１以上のＯＬＥＤの物理的起動により生ずる、第１及び第２の光パネル電力接続にかかる電圧又は１以上のＯＬＥＤを通って流れる電流における摂動を感知し、少なくとも部分的に感知された摂動に基づいて１以上の起動信号を選択的に提供する起動検出回路と
を含む照明デバイスであって、
起動検出回路が、
（ａ）入力及び出力を含む増幅器と、
（ｂ）第１及び第２の光パネル電力接続の一方と増幅器の入力との間に連結されたキャパシタンスと、
（ｃ）コンパレータであって、
（ｃ１）増幅器の出力に結合された第１のコンパレータ入力、
（ｃ２）閾値電圧に結合された第２のコンパレータ入力、及び
（ｃ３）第１及び第２のコンパレータ入力における電圧の相対的極性に従って設定される出力電圧を有するコンパレータ出力
を含むコンパレータと、
（ｄ）コンパレータと作動結合されていて、コンパレータ出力の出力電圧を検出し、コンパレータ出力の出力電圧に基づいてパルス検出器出力を提供するパルス検出器と、
（ｅ）パルス検出器出力をラッチして１以上の起動信号を提供するように作動するラッチと
を含んでいる、照明デバイス。
【請求項２】
起動検出回路が、感知された摂動の大きさを閾値と比較し、感知された摂動の大きさが閾値より大きい場合１以上の起動信号を選択的に提供するように作動する、請求項１記載の照明デバイス。
【請求項３】
起動検出回路が、感知された摂動の大きさを複数の閾値と比較し、少なくとも部分的に、感知された摂動の大きさが複数の閾値のいずれを超えたかに基づいて、１以上の起動信号を選択的に提供するように作動する、請求項２記載の照明デバイス。
【請求項４】
起動検出回路が、感知された摂動の大きさが複数の閾値のいずれを超えたかを示すように複数の起動信号を選択的に提供する、請求項３記載の照明デバイス。
【請求項５】
起動検出回路が、感知された摂動の大きさが閾値より大きい場合１以上の起動信号又は値を選択的に提供するように作動するプロセッサーを含む、請求項２記載の照明デバイス。
【請求項６】
プロセッサーが、閾値より大きい大きさの複数の摂動がゼロでない所定の時間内に感知された場合にのみ１以上の起動信号又は値を提供するように作動する、請求項５記載の照明デバイス。
【請求項７】
起動検出回路が、少なくとも部分的に感知された摂動に基づいて１以上の起動信号又は値を選択的に提供するように作動するプロセッサーを含む、請求項１記載の照明デバイス。
【請求項８】
プロセッサーが、ゼロでない所定の時間内に複数の摂動が感知された場合にのみ１以上の起動信号又は値を提供するように作動する、請求項７記載の照明デバイス。
【請求項９】
プロセッサーが、少なくとも部分的に感知された摂動の大きさに基づいて異なる起動信号又は値を選択的に提供するように作動する、請求項７記載の照明デバイス。
【請求項１０】
さらに、１以上の外部デバイスにメッセージを送信するように作動する通信用インターフェースを含んでおり、プロセッサーが１以上の外部デバイスに送信するための１以上の起動信号又は値を通信用インターフェースに供給するように作動する、請求項７記載の照明デバイス。
【請求項１１】
さらに、第１及び第２の光パネル電力接続を介して光パネルにＤＣ電力を供給するように作動するドライバーを含む、請求項１記載の照明デバイス。
【請求項１２】
起動検出回路が１以上の起動信号をドライバーに供給するように作動し、ドライバーが少なくとも部分的に１以上の起動信号に基づいて光パネルに供給されるＤＣ電力の量を選択的に変化させるように作動する、請求項１１記載の照明デバイス。
【請求項１３】
さらに、少なくとも部分的に感知された摂動に基づいて１以上の起動信号又は値を含むメッセージを１以上の外部デバイスに送信するように作動する通信用インターフェースを含む、請求項１１記載の照明デバイス。
【請求項１４】
さらに、少なくとも部分的に感知された摂動に基づいて１以上の起動信号又は値を含むメッセージを１以上の外部デバイスに送信するように作動する通信用インターフェースを含む、請求項１記載の照明デバイス。
【請求項１５】
一般照明を提供する光パネルの１以上の有機発光ダイオード（ＯＬＥＤ）の物理的起動を検出するための起動検出回路であって、
（ｉ）光パネルの１以上のＯＬＥＤに関連する電圧又は電流を感知するための１以上の光パネル電力接続と、
（ｉｉ）１以上の光パネル電力接続と作動結合されて、１以上のＯＬＥＤが一般照明を提供している間にユーザーによる１以上のＯＬＥＤの物理的起動により生ずる、１以上のＯＬＥＤにかかる電圧又は１以上のＯＬＥＤを通って流れる電流の摂動を感知する検出回路であって、
（ｉｉａ）１以上の光パネル電力接続にＡＣ結合された出力及び入力を含む増幅器と、
（ｉｉｂ）コンパレータであって、増幅器の出力に連結された第１のコンパレータ入力、閾値電圧に連結された第２のコンパレータ入力、及び第１及び第２のコンパレータ入力における電圧の相対的極性に従って設定される出力電圧を有するコンパレータ出力を含むコンパレータと、
（ｉｉｃ）コンパレータに作動結合されて、コンパレータ出力の出力電圧を検出し、コンパレータ出力の出力電圧に基づいてパルス検出器出力を提供するパルス検出器と、
（ｉｉｄ）パルス検出器出力をラッチして１以上の起動信号を提供するように作動するラッチと
を含む検出回路と
を備える起動検出回路。
【請求項１６】
照明システムのための電源であって、当該電源が、
（ｉ）入力電力を受ける第１及び第２の入力、並びに第１及び第２のドライバー出力を有しており、入力電力を変換して、接続された光パネルの１以上の有機発光ダイオード（ＯＬＥＤ）に第１及び第２のドライバー出力を介してＤＣ電力を供給して、１以上のＯＬＥＤに一般照明を提供させるように作動するドライバー回路と、
（ｉｉ）接続された光パネルに作動結合されて、ドライバー回路が１以上のＯＬＥＤにＤＣ電力を供給している間にユーザーによる１以上のＯＬＥＤの物理的起動により生ずる、第１及び第２のドライバー出力にかかる電圧又は接続された光パネルの少なくとも一部を通って流れる電流における摂動を感知し、少なくとも部分的に感知された摂動に基づいて１以上の起動信号を選択的に提供するように作動する起動検出回路と
を備えており、
起動検出回路が、
（ａ）入力及び出力を含む増幅器と、
（ｂ）第１及び第２の光パネル電力接続の一方と増幅器の入力との間に連結されたキャパシタンスと、
（ｃ）コンパレータであって、
（ｃ１）増幅器の出力に結合された第１のコンパレータ入力、
（ｃ２）閾値電圧に結合された第２のコンパレータ入力、及び
（ｃ３）第１及び第２のコンパレータ入力における電圧の相対的極性に従って設定される出力電圧を有するコンパレータ出力
を含むコンパレータと、
（ｄ）コンパレータと作動結合されていて、コンパレータ出力の出力電圧を検出し、コンパレータ出力の出力電圧に基づいてパルス検出器出力を提供するパルス検出器と、
（ｅ）パルス検出器出力をラッチして１以上の起動信号を提供するように作動するラッチと
を含んでいる、電源。
【請求項１７】
起動検出回路が１以上の起動信号をドライバー回路に供給し、ドライバー回路が少なくとも部分的に１以上の起動信号に基づいて１以上のＯＬＥＤに供給されるＤＣ電力の量を選択的に調節するように作動する、請求項１６記載の電源。
【請求項１８】
さらに信号出力を含んでおり、起動検出回路が１以上の起動信号を信号出力に供給する、請求項１６記載の電源。
【請求項１９】
１以上の照明デバイスを制御する方法であって、
（ｉ）１以上の有機発光ダイオード（ＯＬＥＤ）を有する光パネルにＤＣ電力を供給して１以上のＯＬＥＤに一般照明を提供するステップと、
（ｉｉ）１以上のＯＬＥＤが一般照明を提供している間にユーザーによる１以上のＯＬＥＤの物理的起動により生じる光パネルの第１及び第２の電力接続にかかる電圧又は１以上のＯＬＥＤを通って流れる電流における摂動を感知するステップであって、第１及び第２の電力接続の一方からのキャパシタンス結合信号を増幅して増幅出力を提供し、増幅された出力の電圧及び１以上の閾値電圧の相対的極性に基づいて比較信号を提供し、比較信号に基づいてパルス信号を提供し、パルス信号をラッチして１以上の起動信号を提供することを含むステップと、
（ｉｉｉ）１以上の起動信号に少なくとも部分的に基づいて１以上のデバイスの１以上の作動パラメーターを制御するステップと
を含む方法。